【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
通信手段が実装されている回路基板と、
前記通信手段を介して行われる無線通信のための電波を送信又は受信するアンテナと、を備え、
前記アンテナは、前記回路基板に対して一体的に設けられており、前記回路基板から突出している線状のアンテナである、
無線通信装置。
【請求項２】
前記アンテナは、Ｊ型のアンテナである、
請求項１に記載の無線通信装置。
【請求項３】
前記アンテナは、直流的に短絡されている、
請求項２に記載の無線通信装置。
【請求項４】
他の通信装置との間で有線通信を行うための通信線が電気的に接続される接続手段、を備え、
前記通信手段は、前記他の通信装置からの第１信号を前記接続手段に接続されている前記通信線を介して受信し、受信した当該第１信号に基づいて電波を前記アンテナから送信する処理、又は、前記アンテナにて受信した電波に基づいて前記接続手段に接続されている前記通信線を介して前記他の通信装置側に第２信号を送信する処理のうちの少なくとも何れか一方の処理を行う、
請求項１から３の何れか一項に記載の無線通信装置。
【請求項５】
前記接続手段は、複数設けられており、
複数の前記接続手段と前記通信手段との間で、複数の前記接続手段のうちの前記通信手段に電気的に接続する接続手段を切り替える切替手段、を備える、
請求項４に記載の無線通信装置。
【請求項６】
他の通信装置との間で有線通信を行うための通信線が電気的に接続される接続手段、を備え、
前記通信手段は、前記他の通信装置からの第１信号を前記接続手段に接続されている前記通信線を介して受信し、受信した当該第１信号に基づいて電波を前記アンテナから送信する処理、又は、前記アンテナにて受信した電波に基づいて前記接続手段に接続されている前記通信線を介して前記他の通信装置側に第２信号を送信する処理のうちの少なくとも何れか一方の処理を行い、
前記他の通信装置側と前記回路基板側との間を電気的に遮断した状態で、前記他の通信装置側と前記通信手段側との間で前記第１信号又は前記第２信号を伝送する遮断伝送手段、を備える、
請求項１から３の何れか一項に記載の無線通信装置。
【請求項７】
前記無線通信装置の構成要素を収容する収容手段、を備える、
請求項１から６の何れか一項に記載の無線通信装置。
【請求項８】
前記通信手段は、少なくとも所定距離内の長距離無線通信を行う、
請求項１から７の何れか一項に記載の無線通信装置。
【請求項９】
前記アンテナは、地上に対して所定の高さの位置である比較的高い位置に設置されている、
請求項１から８の何れか一項に記載の無線通信装置。
【請求項１０】
回路基板に実装されている通信手段を介して行われる無線通信のための電波を送信又は受信するアンテナであって、
前記アンテナは、前記回路基板に対して一体的に設けられており、前記回路基板から突出している線状のアンテナである、
アンテナ。
【請求項１１】
前記アンテナは、前記通信手段を介して行われる所定距離内の長距離無線通信のための電波を送受信するアンテナである、
請求項１０に記載のアンテナ。
【請求項１２】
前記アンテナは、地上に対して所定の高さの位置である比較的高い位置に設置されている、
請求項１０又は１１に記載のアンテナ。
【手続補正２】
【補正対象書類名】明細書
【補正対象項目名】００１２
【補正方法】変更
【補正の内容】
【００１２】
請求項７に記載の無線通信装置は、請求項１から６の何れか一項に記載の無線通信装置において、前記無線通信装置の構成要素を収容する収容手段、を備える。
請求項８に記載の無線通信装置は、請求項１から７の何れか一項に記載の無線通信装置において、前記通信手段は、少なくとも所定距離内の長距離無線通信を行う。
請求項９に記載の無線通信装置は、請求項１から８の何れか一項に記載の無線通信装置において、前記アンテナは、地上に対して所定の高さの位置である比較的高い位置に設置されている。
請求項１０に記載のアンテナは、回路基板に実装されている通信手段を介して行われる無線通信のための電波を送信又は受信するアンテナであって、前記アンテナは、前記回路基板に対して一体的に設けられており、前記回路基板から突出している線状のアンテナである。
請求項１１に記載のアンテナは、請求項１０に記載のアンテナにおいて、前記アンテナは、前記通信手段を介して行われる所定距離内の長距離無線通信のための電波を送受信するアンテナである。
請求項１２に記載のアンテナは、請求項１０又は１１に記載のアンテナにおいて、前記アンテナは、地上に対して所定の高さの位置である比較的高い位置に設置されている。
【手続補正３】
【補正対象書類名】明細書
【補正対象項目名】００１５
【補正方法】変更
【補正の内容】
【００１５】
請求項３に記載の無線通信装置によれば、アンテナが直流的に短絡されていることにより、例えば、誘導雷によりアンテナに高電圧が発生した場合に、当該高電圧に起因する電流をアンテナから大地に直接流すことができるので、当該電流が通信手段側に供給されることを防止することができ、無線通信装置の故障を防止することが可能となる。
【手続補正４】
【補正対象書類名】明細書
【補正対象項目名】００１８
【補正方法】変更
【補正の内容】
【００１８】
請求項６に記載の無線通信装置によれば、他の通信装置側と回路基板側との間を電気的に遮断した状態で、他の通信装置側と通信手段側との間で第１信号又は第２信号を伝送することにより、例えば、他の通信装置側と通信手段側とを相互に電気的に分離することができるので、誘導雷によりアンテナに高電圧が発生した場合に、当該高電圧に起因する電流をアンテナから大地に流す確実な電路を確保することができる。よって、当該電流が通信手段側に供給されることを確実に防止することができ、無線通信装置の故障を確実に防止することが可能となる。
【手続補正５】
【補正対象書類名】明細書
【補正対象項目名】００６５
【補正方法】変更
【補正の内容】
【００６５】
（誘導雷対策）
次に、無線通信装置９００の誘導雷対策について説明する。「誘導雷」とは、落雷又は雷雲等の影響でアンテナに高電圧が発生することである。このような誘導雷により、図８のアンテナ９３に高電圧が発生した場合、アンテナ９３の第１給電点９３１、第２給電点９３２が相互にアンテナ９３の一部にて直流的に短絡されており、且つ、アンテナ９３の第２給電点９３２が保安用アース線６３を介して大地に直流的に短絡されているので、発生した高電圧による電流は、アンテナ９３の第２給電点９３２、及び保安用アース線６３を介して大地に供給されることになるので、当該電流が通信モジュール１側に供給されることを防止することができ、誘導雷による無線通信装置９００の故障を防止することが可能となる。
【手続補正６】
【補正対象書類名】明細書
【補正対象項目名】００６８
【補正方法】変更
【補正の内容】
【００６８】
また、アンテナ９３が直流的に短絡されていることにより、例えば、誘導雷によりアンテナ９３に高電圧が発生した場合に、当該高電圧に起因する電流をアンテナ９３から大地に直接流すことができるので、当該電流が通信モジュール１側に供給されることを防止することができ、無線通信装置９００の故障を防止することが可能となる。
【手続補正７】
【補正対象書類名】明細書
【補正対象項目名】００７６
【補正方法】変更
【補正の内容】
【００７６】
（フォトカプラについて）
また、上記実施の形態の図８の無線通信装置９００に対して光電変換を行うフォトカプラを設けてもよい。なお、フォトカプラとは、前述の遮断伝送手段である。フォトカプラを設ける位置は任意であるが、例えば、マルチプレクサ２と通信モジュール１との間にフォトカプラを設けて、第１コネクタ４又は第２コネクタ５に接続される通信設備８００側と通信モジュール１側とを電気的に遮断（フォトカプラの光電変換による信号の伝送は可能）してもよい。具体的には、まず、マルチプレクサ２の二次側送信端子２７及び二次側受信端子２８と通信モジュール１の送信端子１３及び受信端子１４との間にフォトカプラを設けた上で、通信モジュール１の電源端子１１に対する第１コネクタ４の電源端子４１の接続及び第２コネクタ５の電源端子５１の接続を遮断し、また、グランドパターン６１における、通信モジュール１のグランド端子１２が接続されている位置とマルチプレクサ２のグランド端子２２が接続されている位置の間の接続を遮断する。次に、無線通信装置９００にバッテリ（例えば、ソーラーパネルから充電される二次電池、あるいは、その他の任意の電池等）を設けて、このバッテリからの電源電圧を通信モジュール１に供給して当該通信モジュール１を駆動するようにしてもよい。このように構成した場合、通信設備８００側と回路基板９４側（具体的には、通信モジュール１側）との間を電気的に遮断した状態で、通信設備８００側と通信モジュール１側との間で第１信号又は第２信号を伝送することにより、例えば、通信設備８００側と通信モジュール１側とを相互に電気的に分離することができるので、誘導雷によりアンテナ９３に高電圧が発生した場合に、当該高電圧に起因する電流をアンテナ９３から大地に流す確実な電路を確保することができる。よって、当該電流が通信モジュール１側に供給されることを確実に防止することができ、無線通信装置９００の故障を確実に防止することが可能となる。
【手続補正８】
【補正対象書類名】明細書
【補正対象項目名】００８８
【補正方法】変更
【補正の内容】
【００８８】
付記３に記載の無線通信装置によれば、アンテナが直流的に短絡されていることにより、例えば、誘導雷によりアンテナに高電圧が発生した場合に、当該高電圧に起因する電流をアンテナから大地に直接流すことができるので、当該電流が通信手段側に供給されることを防止することができ、無線通信装置の故障を防止することが可能となる。
【手続補正９】
【補正対象書類名】明細書
【補正対象項目名】００９１
【補正方法】変更
【補正の内容】
【００９１】
付記６に記載の無線通信装置によれば、他の通信装置側と回路基板側との間を電気的に遮断した状態で、他の通信装置側と通信手段側との間で第１信号又は第２信号を伝送することにより、例えば、他の通信装置側と通信手段側とを相互に電気的に分離することができるので、誘導雷によりアンテナに高電圧が発生した場合に、当該高電圧に起因する電流をアンテナから大地に流す確実な電路を確保することができる。よって、当該電流が通信手段側に供給されることを確実に防止することができ、無線通信装置の故障を確実に防止することが可能となる。